(57)【要約】【課題】リッドがアームレストとして使用された場合の人からの荷重を電動式でない機構で適切に負担する。【解決手段】ボックス３が昇降ばね１５の蓄勢と弾性とによって下がった位置と上がった位置とに昇降し、下がった位置と上がった位置との双方においてボックス３の側の位置決め部７とブラケット１２の側の位置支持部３４とのボックス３の昇降方向に直交する方向への機構的な嵌合によって、位置支持部３４が位置決め部７に対して閂となり、ボックス３が下がった位置又は上がった位置に保持される。【選択図】図１
2010221843.tif 000002
【特許請求の範囲】
【請求項１】
基盤を構成するブラケットと、ブラケットに収容されかつ開閉可能なリッドを有するボックスと、ボックスに設けられた位置決め部と、ボックスとブラケットとにわたって設けられた昇降ばねと、ブラケットに設けられた位置支持部とを備え、ボックスを昇降ばねの蓄勢と弾性とによって下がった位置と上がった位置とに昇降し、下がった位置と上がった位置との双方において位置決め部と位置支持部との嵌合によって、ボックスが下がった位置又は上がった位置に保持されることを特徴とするボックス昇降装置。
【請求項２】
ボックス又はブラケットの一方には昇降ガイドが設けられ、ボックス又はブラケットの他方には昇降支持ガイドが設けられ、位置決め部と位置支持部との嵌合に伴って、昇降ガイドと昇降支持ガイドとが互いに嵌合することを特徴とする請求項１記載のボックス昇降装置。
【請求項３】
昇降ガイド又は位置支持部が楔ガイドを備えたことを特徴とする請求項２記載のボックス昇降装置。
【請求項４】
位置決め部と位置支持部との嵌合並びにボックスの昇降ばねによる昇降を行うための機構が、ばね仕掛けの前後スライド機構とばね仕掛けの左右スライド機構とによって構成されたことを特徴とする請求項１記載のボックス昇降装置。
【発明の詳細な説明】
【技術分野】
【０００１】
本発明は、リッドがアームレストとして使用された場合の人からの荷重を電動式でない機構で適切に負担できるボックス昇降装置に関する。
【背景技術】
【０００２】
図１３は、特許文献１で開示されたボックス昇降装置４１を示す。図１３において、ボックス昇降装置４１は、アームレストとして使用可能なリッド４２を備えたボックス４３が昇降駆動機構４４でコンソールカバー４５に対して昇降するようになっている。しかしながら、昇降駆動機構４４が電動式であることから、配線作業が必要であるという欠点がある。また、昇降駆動機構４４の第１レバー４６の下端部と第２レバー４７の下端部とが軸４８で連結され、昇降駆動機構４４のモーター４９が駆動すると、第１レバー４６の上端部側と第２レバー４７の上端部側とが軸４８を回転中心として互いに近づいたり離れたりするように移動してボックス４３を昇降させるので、リッド４２が人からの荷重を支える場合、第１・第２レバー４６；４７が軸４８を回転中心として開くようになって人からの荷重を適切に負担できないという欠点がある。
【先行技術文献】
【特許文献】
【０００３】
【特許文献１】特開２００８−５６１６５号公報
【発明の概要】
【発明が解決しようとする課題】
【０００４】
発明が解決しようとする問題点は、電動式でありかつ人からの荷重を適切に負担できないという点である。
【課題を解決するための手段】
【０００５】
本発明に係るボックス昇降装置は、ボックスを昇降ばねの蓄勢と弾性とによって下がった位置と上がった位置とに昇降し、下がった位置と上がった位置との双方において位置決め部と位置支持部との嵌合によって、ボックスが下がった位置又は上がった位置に保持されることを最も主要な特徴とする。
【発明の効果】
【０００６】
本発明に係るボックス昇降装置は、リッドがアームレストとして使用された場合の人からの荷重を電動式でない機構で適切に負担できるという利点がある。
【図面の簡単な説明】
【０００７】
【図１】Ａ図は実施の形態１のボックスの収納状態を示す模式図、Ｂはボックスの突出状態を示す模式図。
【図２】実施の形態１のボックス昇降装置を示す分解図。
【図３】実施の形態１のボックス昇降装置を示す分解図。
【図４】実施の形態１のボックスの収納常態を示す側面図的な模式図。
【図５】図４と対をなす正面図的な模式図。
【図６】実施の形態１のボックスの位置変え初動を示す側面図的な模式図。
【図７】図６と対をなす正面図的な模式図。
【図８】実施の形態１のボックスの突出状態を示す側面図的な模式図。
【図９】図８と対をなす正面図的な模式図。
【図１０】実施の形態１のボックスの位置決め状態を示す平面図的な模式図。
【図１１】実施の形態１のボックスの位置変え状態を示す平面図的な模式図
【図１２】実施の形態２のボックス昇降装置を示す平面図的な模式図。
【図１３】従来のボックス昇降装置を示す縦断面図。
【発明を実施するための形態】
【０００８】
本明細書における「前」、「後」、「左」、「右」、「上」、「下」の方向は、図２の状態にボックス昇降装置１１を置いて矢印Ｓの前側から見た場合に特定される方向である。
【０００９】
「実施の形態１」
図１乃至図１１を参照し、実施の形態１に係るボックス昇降装置１１について説明する。先ず、図１に示すように、実施の形態１は、ボックス３が昇降ばね１５の蓄勢と弾性とによって下がった位置と上がった位置とに昇降され、下がった位置と上がった位置との双方において位置決め部７と位置支持部３４との嵌合でボックス３が下がった位置又は上がった位置に保持されることによって、リッドがアームレストとして使用された場合の人からの荷重を電動式でない機構で適切に負担できる特徴を有する。この特徴は、図１及び図４乃至図１１を参照して後述する。
【００１０】
次に、図２を参照し、ボックス昇降装置１１の構造についてコンソールに用いられた場合を例として説明する。コンソール１は、コンソールカバー２及びボックス３を備える。コンソールカバー２は、図外の車体構成体に設置され、コンソール１の基盤としての収容部本体を構成する。ボックス３は、コンソールカバー２の上壁部に設けられたカバー開口部４からコンソールカバー２の内部に設置され、物入れを構成する。
【００１１】
ボックス３の上部には、ボックス開口部５及リッド６が設けられる。リッド６は、ボックス開口部５を開閉するように、ボックス３に開閉可能に取り付けられる。つまり、ボックス３とリッド６とは一体的に昇降し、ボックス３が上位置に停止した状態でも下位置に停止した状態でもリッド６は開閉可能である。
【００１２】
ボックス３には、位置決め部７、昇降ガイド８、フランジ９が設けられる。位置決め部７は、上中下に分かれて、ボックス３の左右側部に設けられる。昇降ガイド８は、前後に分かれて、ボックス３の左右側部に設けられる。フランジ９は、ボックス開口部５から横方向外側に突出しかつ下方に延びた形状を構成する。
【００１３】
ボックス昇降装置１１は、ボックス３以外に、ブラケット１２、前後スライド機構１３、左右スライド機構１４、昇降ばね１５を備える。ブラケット１２は、ボックス昇降装置１１の基盤を構成し、車体構成体のコンソールカバー２で覆われる部分の中に固定される。ブラケット１２の左右側部には、逃避孔１７及びばね支持部１８が設けられる。逃避孔１７は、左右に貫通する。ばね支持部１８は、ブラケット１２左右側部の外面から外側に突出する。
【００１４】
前後スライド機構１３は、操作部材２０、前後スライド部材２１、前後ばね２２を備える。操作部材２０は、ブラケット１２の前上部にレバー軸２３で回転可能に取り付けられる。操作部材２０の上部には、取手２４が設けられる。操作部材２０の下部は、前後スライド部材２１の前部の連結部にスライド軸２５で回転可能に取り付けられ、前後方向（矢印Ｘ１方向）に揺動可能となる。前後スライド部材２１は、前部と前部の中央から前方に突出する連結部と前部の左右端部から後方に延びる左右側部とかなるフォーク形状に構成される。前後スライド部材２１の左右側部の左右方向（矢印Ｘ２方向）の内法は、ブラケット１２の左右方向の外法よりも大きい。
【００１５】
前後スライド部材２１の左右側部には、横引込部２７、ばね支持部２８、逃避孔２９が設けられる。横引込部２７は、前後スライド部材２１の左右側部の外面から外側に突出する。横引込部２７の前部は、前方から後方に行くに従って徐々に外側に突出する斜面を構成する。ばね支持部２８は、前後スライド部材２１の左右側部の外面から外側に突出する。逃避孔２９は、左右方向に貫通する。
【００１６】
前後ばね２２は、前後スライド部材２１に前方から後方に向かう弾力を有するものであれば、圧縮ばね又は引張はね又は捻りばね又はゴムのような弾性体で構成してもよい。
【００１７】
左右スライド機構１４は、左右に対峙した一対として設けられ、左右スライド部材３１及び左右ばね３２を備える。左右スライド部材３１は、左右スライド部材３１の板面を左右に向けてブラケット１２の内部に収容される大きさである。左右スライド部材３１の前後方向の外法は、フランジ９の前後方向に対峙する部分の内法よりも小さい。左右スライド部材３１の左右方向の板厚は、フランジ９の左右方向に対峙する部分の内法よりも小さい。
【００１８】
これらの寸法によって、左右スライド部材３１がボックス３の収容部を囲む周壁の左右部分とフランジ９の左右方向に対峙する部分との間の隙間に入り込むことが可能である。左右スライド部材３１が当該隙間に入り込むようにすれば、昇降ガイド８と昇降支持ガイド３５とが嵌合する部分が多くなり、昇降ガイド８と昇降支持ガイド３５とによるボックス３の昇降と保持とが向上する。
【００１９】
左右スライド部材３１には、位置支持部３４、昇降支持ガイド３５、受壺３６が設けられる。位置支持部３４は、上下に分かれて、左右スライド部材３１の内面から内側に突出する。位置支持部３４の上下方向（矢印Ｘ３方向）の間隔は、位置決め部７の上中下に分かれた等間隔と同じに構成される。この寸法によって、位置支持部３４がボックス３における上及び中の位置決め部７に嵌合する場合、位置支持部３４がボックス３における中及び下の位置決め部７に嵌合する場合との２通りの態様が可能になる。
【００２０】
昇降支持ガイド３５は、前後に分かれて、左右スライド部材３１の内面から内側に突出する。昇降支持ガイド３５の前後方向の間隔は、ボックス３の昇降ガイド８の前後方向の間隔と同じに構成される。この寸法によって、昇降支持ガイド３５が昇降ガイド８に嵌合することが可能である。昇降支持ガイド３５には、楔部３７及ガイド部３８が設けられる。楔部３７は、左右スライド部材３１の側に配置される。ガイド部３８は、ボックス３の側に配置される。
【００２１】
受壺３６は、左右スライド部材３１の左右方向の外面から外側に突出し、前後スライド部材２１の左右側部を前後方向に移動可能に挿入し得る貫通孔を囲む形状を構成する。
【００２２】
左右ばね３２は、前後スライド部材２１に左右方向外側から内側に向かう弾力を与えるのであれば、圧縮ばね又は引張はね又は捻りばね又はゴムのような弾性体で構成してもよい。左右ばね３２は少なくとも左右に１個ずつあればよいので、左右ばね３２の個数は、左右で４個ずつに限定されるものではなく、２個又は３個又は５個以上であってもよい。
【００２３】
図３を参照し、ボックス昇降装置１１の組立方について説明する。左右スライド部材３１がブラケット１２の内部に配置される。その場合、受壺３６が逃避孔１７を経由してブラケット１２の左右側部から外部に突出される。前後スライド部材２１がブラケット１２の外部に配置され、前後スライド部材２１の左右側部がブラケット１２よりも外部に突出した受壺３６の貫通孔に挿入される。その場合、ばね支持部１８が逃避孔２９を経由して前後スライド部材２１の左右側部より外部に突出される。そして、左右ばね３２がブラケット１２と左右スライド部材３１との間に配置されると、左右スライド部材３１が左右ばね３２の弾力で互いに近づく方向に移動し、受壺３６が左右スライド部材３１に受け止められる。
【００２４】
また、前後ばね２２がばね支持部１８とばね支持部２８との間に配置されると、前後スライド部材２１が前後ばね２２の弾力で後方に移動し、ばね支持部１８が前後スライド部材２１の逃避孔２９の前方周りに受け止められる。また、操作部材２０がブラケット１２にレバー軸２３で装着され、操作部材２０と前後スライド部材２１とがスライド軸２５で連結される。
【００２５】
これによって、図３に示すように、前後スライド部材２１及び左右スライド部材３１がブラケット１２に組み付けられる。図３に示す態様において、昇降ばね１５がブラケット１２に収容され、左右スライド部材３１が互いに離された後、左右スライド部材３１の対峙する間隔が広げられたまま、ボックス３が昇降ばね１５を蓄勢させつつ左右スライド部材３１の間に収容される。
【００２６】
その後、左右スライド部材３１の上部がフランジ９の左右の下に配置され（図４参照）、昇降支持ガイド３５のガイド部３８が昇降ガイド８に収容され（図１１参照）、位置支持部３４が上及び中又は中及び下の位置決め部７に嵌合される（図１のＢ図又はＣ図参照）。さらに、左右ばね３２がブラケット１２と左右スライド部材３１との間に配置されると、左右スライド部材３１が左右ばね３２の弾力で対峙する内側に移動し、昇降支持ガイド３５の楔部３７が昇降ガイド８に接触する（図１０図参照）。
【００２７】
図４及び図１１を参照し、ボックス昇降装置１１の昇降動作について説明する。図４及び図５は、ボックス３がコンソールカバー２の内部に最も下がって収納された状態を示す。その状態では、図４に示すように、前後スライド部材２１が前後ばね２２の弾力で後方に移動してばね支持部１８に衝突して最も後方に移動した位置に位置決めされる。取手２４がコンソールカバー２の外部から人が操作し得るように、コンソールカバー２の取手２４の周りの部分は構成される。
【００２８】
また、図５に示すように、ボックス３が昇降ばね１５を蓄勢させ、左右スライド部材３１が左右ばね３２の弾力でボックス３の側に近づき、位置支持部３４が上又は中の位置決め部７に嵌合し、ボックス３が最も下がった位置に位置決めされる。このように左右スライド部材３１が左右ばね３２の弾力でボックス３に近づいた場合、図１０に示すように、昇降支持ガイド３５の楔部３７が昇降ガイド８に接触して左右方向両側から荷重をかけてボックス３を左右方向及び前後方向にがたつくこのないように保持する。
【００２９】
次に、図６に示すように、人が取手２４を矢印Ｘ４で示す前方に引くと、前後スライド部材２１が前後ばね２２を蓄勢させつつ前方に移動し、横引込部２７がかんぬきのように受壺３６に入って受壺３６を左右方向外側に移動させる。これによって、図７及び図１１に示すように、左右スライド部材３１が左右ばね３２を蓄勢させつつ左右方向外側に移動し、位置支持部３４が上及び中の位置決め部７から引き抜かれ、楔部３７が昇降ガイド８から外れ、ガイド部３８が昇降ガイド８に残る。
【００３０】
その結果、図８及び図９に示すように、昇降ばね１５が弾力でボックス３を上昇させる。これによって、ボックス３とリッド６とが上昇する。そして、ボックス３が上昇して行き、例えば、ボックス３に設けられた図外のストッパーがブラケット１２に設けられた図外のストッパーに衝突すると、ボックス３及びリッド６が最も上がって突出した状態となり、上及び中の位置決め部７と位置支持部３４とが互いに左右方向で対峙する位置でボックス３が停止する。その場合、フランジ９の下に垂れ下がった部分がカバー開口部４の隙間から内部機構を見えなくするように目隠しする。
【００３１】
その後、人が取手２４を解放すると、図１のＢ図に示すように、前後スライド部材２１が前後ばね２２の弾力で後方に移動する。それに伴い、横引込部２７が受壺３６から外れ、左右スライド部材３１が左右ばね３２の弾力で左右方向内側に移動する。これによって、位置支持部３４が上及び中の位置決め部７に勘合し、ボックス３が最も上がって突出した位置に保持され、リッド６がアームレストとして使用された場合の人からの荷重を適切に負担する。また、上記左右ばね３２の弾力による左右スライド部材３１の内側への移動によって、図１０に示すように、楔部３７が昇降ガイド８に接触して左右方向から荷重をかけてボックス３を左右方向及び前後方向にがたつくこのないように保持する。
【００３２】
ボックス３が最も上がった位置に保持された状態において、人が図８に示すように取手２４を前方に引いたままボックス３又はリッド６を押し下げると、ボックス３及びリッド６が下がって行き、例えば、ボックス３の図外のストッパーがブラケット１２の図外のストッパーに衝突する。すると、図６及び図７に示すように、ボックス３及びリッド６が最も下がって収納された状態となり、中及び下の位置決め部７と位置支持部３４とが互いに左右方向で対峙する位置でボックス３が停止する。
【００３３】
その後、人が取手２４を解放すると、図１のＡ図に示すように、位置支持部３４が中及び下の位置決め部７に嵌合し、ボックス３が最も下がった位置に保持され、リッド６がアームレストとして使用された場合の人からの荷重が適切に負担する。また、図１０に示すように、楔部３７が昇降ガイド８に接触して左右方向から荷重をかけてボックス３を左右方向及び前後方向にがたつくこのないように保持する。
【００３４】
実施の形態１での前後を左右に、左右を前後に読み替えることによって、操作部材２０がブラケット１２の左右方向に設けられてもよいことは理解できるであろう。実施の形態１では操作部材２０がブラケット１２に設けられたが、図示は省略するが、操作部材２０がコンソールカバー２に設けられてよい。実施の形態１ではボックス３が垂直に昇降する場合を例として説明したが、昇降ガイド８及び昇降支持ガイド３５を斜め方向に直線的又は弧状的に延長するように構成することによって、斜め方向に昇降するようにしてもよい。
【００３５】
「実施の形態２」
図１２を参照し、実施の形態２に係るボックス昇降装置１１の構造について説明する。図１２において、位置決め部７が左右に１個ずつ設けられ、ボックス３が最も上がった場合には上の位置支持部３４が位置決め部７を下から支持し、ボックス３が最も下がった場合には下の位置支持部３４が位置決め部７を上から受け止めるようになっている。
【符号の説明】
【００３６】
１はコンソール、２はコンソールカバー、３はボックス、４はカバー開口部、５はボックス開口部、６はリッド、７は位置決め部、８は昇降ガイド、９はフランジ、１０は欠番、１１はボックス昇降装置、１２はブラケット、１３は前後スライド機構、１４は左右スライド機構、１５は昇降ばね、１６は欠番、１７は逃避孔、１８はばね支持部、１９は欠番、２０は操作部材、２１は前後スライド部材、２２は前後ばね、２３はレバー軸、２４は取手、２５はスライド軸、２６は欠番、２７は横引込部、２８はばね支持部、３０は欠番、３１は左右スライド部材、３２は左右ばね、３３は欠番、３４は位置支持部、３５は昇降支持ガイド、３６は受壺、３７は楔部、３８はガイド部、３９は欠番、４０は欠番、４１はボックス昇降装置、４２はリッド、４３はボックス、４４は昇降駆動機構、４５はコンソールカバー、４６は第１レバー、４７は第２レバー、４８は軸、４９はモーター。
【図１】
2010221843.tif 000003
【図２】
2010221843.tif 000004
【図３】
2010221843.tif 000005
【図４】
2010221843.tif 000006
【図５】
2010221843.tif 000007
【図６】
2010221843.tif 000008
【図７】
2010221843.tif 000009
【図８】
2010221843.tif 000010
【図９】
2010221843.tif 000011
【図１０】
2010221843.tif 000012
【図１１】
2010221843.tif 000013
【図１２】
2010221843.tif 000014
【図１３】
2010221843.tif 000015